(57)【要約】【課題】貯液タンクの内の飲用水が外へ溢出するのを避けることができる飲水機の溢出防止装置を提供する。【解決手段】貯液タンクは飲用水を収容し、封止蓋は緊密に貯液タンクを蓋する。導水管は飲用水瓶の飲用水を貯液タンクに注入するのに用いられ、貯液タンク１の内の等量の空気を飲用水瓶に注入させる。排気バルブは封止蓋の上に設けられ、浮き、ピストンと排気通路が設けられる。浮きは貯液タンク内に位置され、貯液タンクの内の飲用水が正常満水位線より低くなると、排気バルブの排気通路により貯液タンクの内部の気圧を調節する。貯液タンクの内の飲用水が正常満水位線を超えると、浮きは上昇すると共に、ピストンを連動して排気バルブの排気通路を封止し、貯液タンクの内の飲用水が異常に外へ溢出するのを避ける。【選択図】図１
0003126288.tif 000002
【実用新案登録請求の範囲】
【請求項１】
貯液タンク（１）、封止蓋（２）、導水管（３）および排気バルブ（４）により構成される飲水機の溢出防止装置であって、貯液タンク（１）は飲用水を収容するのに用いられ、封止蓋（２）は緊密に貯液タンク（１）を蓋するように設けられ、導水管（３）は飲用水瓶（５）の飲用水を貯液タンク（１）に注入するように導引し、さらに貯液タンク（１）の内の等量の空気を飲用水瓶（５）に注入するように導引し、排気バルブ（４）は封止蓋（２）の上に設けられ、排気バルブ（４）には浮き（４５）、ピストン（４３）と排気通路（４２２）が設けられ、浮き（４５）は貯液タンク（１）の内に位置するように形成され、貯液タンク（１）の内の飲用水が正常満水位線（Ｌ）より低くなると、排気バルブ（４）の排気通路（４２２）により貯液タンク（１）の内部の気圧を調節することができ、そして貯液タンク（１）の内の飲用水が正常満水位線（Ｌ）を超えるように上昇すると、浮き（４５）は上昇すると共に、ピストン（４３）を連動して排気バルブ（４）の排気通路（４２２）を封止することにより、貯液タンク（１）の内の飲用水が異常に外へ溢出するのを避けることを特徴とする飲水機の溢出防止装置。
【請求項２】
封止蓋（２）は受け座からなり、受け座（２）には管路（２３）が設けられ、管路（２３）には排気バルブ（４）が組み立てられることを特徴とする請求項１記載の飲水機の溢出防止装置。
【請求項３】
受け座（２）には挿入タンク（２０）が凹むように設けられて飲用水瓶（５）に挿入することができ、さらに導水管（３）は挿入タンク（２０）の底部に結合されることを特徴とする請求項２記載の飲水機の溢出防止装置。
【請求項４】
導水管（３）には挿管部（３１）と組立部（３２）が設けられ、挿管部（３１）は飲用水瓶（５）の内に挿入するのに用いられ、挿管部（３１）には少なくとも一個の導引孔（３１１）が設けられ、さらに組立部（３２）は受け座（２）の挿入タンク（２０）の底部に結合されることを特徴とする請求項３記載の飲水機の溢出防止装置。
【請求項５】
排気バルブ（４）には本体（４１）と嵌合体（４２）が設けられ、嵌合体（４２）は本体（４１）の内に嵌設され、嵌合体（４２）には排気通路（４２２）が形成され、さらに本体（４１）の内周壁面には階段状部（４１１）が設けられることにより、嵌合体（４２）を支持することができることを特徴とする請求項２記載の飲水機の溢出防止装置。
【請求項６】
嵌合体（４２）にはフランジ（４２１）が設けられ、フランジ（４２１）は本体（４１）の階段状部（４１１）に係止して位置決めすることを特徴とする請求項５記載の飲水機の溢出防止装置。
【請求項７】
排気バルブ（４）の本体（４１）の底端には開口が形成され、上記開口には少なくとも一個の支持リブ（４１２）が設けられ、支持リブ（４１２）は連接棒（４４）が穿設するのに用いられ、さらに連接棒（４４）によりピストン（４３）と浮き（４５）を連接することを特徴とする請求項５記載の飲水機の溢出防止装置。
【請求項８】
封止蓋（２）は受け座（２）と汚れ防止座（６）との組合せからなり、汚れ防止座（６）は受け座（２）に嵌設され、そして汚れ防止座（６）には管路（６５）が設けられることにより、排気バルブ（４）と組み立てることができることを特徴とする請求項１記載の飲水機の溢出防止装置。
【請求項９】
受け座（２）には挿入タンク（２０）が凹むように設けられて飲用水瓶（５）に挿入することができ、さらに汚れ防止座（６）は挿入タンク（２０）の外に嵌設され、そして導水管（３）は挿入タンク（２０）の底部に直立するように設けられることを特徴とする請求項８記載の飲水機の溢出防止装置。
【請求項１０】
導水管（３）には挿管部（３１）と組立部（３２）が設けられ、挿管部（３１）は飲用水瓶（５）の内に挿入するのに用いられ、挿管部（３１）には少なくとも一個の導引孔（３１１）が設けられ、さらに組立部（３２）は受け座（２）の挿入タンク（２０）の底部に結合されることを特徴とする請求項９記載の飲水機の溢出防止装置。
【請求項１１】
排気バルブ（４）には嵌合体（４２）が設けられ、嵌合体（４２）には排気通路（４２２）が形成され、さらに嵌合体（４２）にはフランジ（４２１）が設けられることにより、汚れ防止座（６）の管路（６５）の上端の開口に係止して位置決めすることを特徴とする請求項８記載の飲水機の溢出防止装置。
【請求項１２】
汚れ防止座（６）にはスリーブ（６１）と第一汚れ防止板（６２）が設けられ、スリーブ（６１）は受け座（２）の挿入タンク（２０）の外に嵌設され、第一汚れ防止板（６２）は貯液タンク（１）の内周壁面に係止するのに用いられることを特徴とする請求項８記載の飲水機の溢出防止装置。
【請求項１３】
第一汚れ防止板（６２）はリップ縁において少なくとも一個の貫穿孔（６２１）が設けられることにより、貯液タンク（１）の内部の気圧を調節することを特徴とする請求項１２記載の飲水機の溢出防止装置。
【請求項１４】
汚れ防止座（６）には他に第二汚れ防止板（６３）と汚れ防止ワッシャー（６４）が設けられ、第二汚れ防止板（６３）の外周面には環状凹欠溝（６３０）が凹むように設けられ、環状凹欠溝（６３０）は汚れ防止ワッシャー（６４）が結合するのに用いられ、さらに汚れ防止ワッシャー（６４）は貯液タンク（１）の内周壁面に当接するのに用いられることを特徴とする請求項１２記載の飲水機の溢出防止装置。
【請求項１５】
汚れ防止座（６）の管路（６５）は第一汚れ防止板（６２）を貫穿し、そして排気バルブ（４）を組み立てて結合するのに用いられることを特徴とする請求項１４記載の飲水機の溢出防止装置。
【請求項１６】
汚れ防止座（６）の第二汚れ防止板（６３）には管路（６５）に対応するように貫穿孔が設けられ、上記貫穿孔は連接棒（４４）が穿設するのに用いられ、さらに連接棒（４４）によりピストン（４３）と浮き（４５）を連接することを特徴とする請求項１５記載の飲水機の溢出防止装置。
【請求項１７】
排気バルブ（４）には他に蓋体（４７）が設けられ、蓋体（４７）は汚れ防止座（６）の管路（６５）の上端の開口を蓋するように設けられることを特徴とする請求項８記載の飲水機の溢出防止装置。
【請求項１８】
排気バルブ（４）には連接棒（４４）が設けられ、そして連接棒（４４）にはフランジ端（４４１）が形成され、排気バルブ（４）のピストン（４３）は連接棒（４４）のフランジ端（４４１）に結合されることを特徴とする請求項１１記載の飲水機の溢出防止装置。
【請求項１９】
ピストン（４３）とフランジ端（４４１）との間には凹欠溝が形成され、上記凹欠溝は漏れ防止リング（ａ２）を収容して位置決めするのに用いられ、そして排気通路（４２２）の一端には縮径部が形成されることにより、ピストン（４３）と漏れ防止リング（ａ２）によって上記縮径部を封止することを特徴とする請求項１８記載の飲水機の溢出防止装置。
【請求項２０】
連接棒（４４）には他に挿入端（４４２）が設けられ、挿入端（４４２）の外周壁面にはねじ部が形成され、連接棒（４４）は上記ねじ部により対応するように浮き（４５）のねじ孔に螺合することを特徴とする請求項１８記載の飲水機の溢出防止装置。
【請求項２１】
排気バルブ（４）には他に係止部材（４８）が設けられ、係止部材（４８）は連接棒（４４）に穿設され、そしてピストン（４３）と浮き（４５）との間に位置するように形成され、さらに係止部材（４８）の外周縁には係止部（４８２）が設けられることにより、係止部材（４８）は嵌合体（４２）の底端に係止して位置決めされることを特徴とする請求項１８記載の飲水機の溢出防止装置。
【請求項２２】
係止部材（４８）には複数個の支持リブ（４８３）が設けられ、支持リブ（４８３）は係止部材（４８）の底端の開口に懸けるように設けられることにより、連接棒（４４）を支持すると共に、貯液タンク（１）とその他のタンクの内部の気体を嵌合体（４２）の排気通路（４２２）の内に注入させることを特徴とする請求項２１記載の飲水機の溢出防止装置。
【考案の詳細な説明】
【技術分野】
【０００１】
本考案は、飲水機の溢出防止装置に関するもので、特に受け座または汚れ防止座において排気バルブを設置し、排気バルブを利用して貯液タンクの内の飲用水が外へ溢出するのを避けることができる飲水機の溢出防止装置に係るものである。
【背景技術】
【０００２】
図１０を参照すると、従来の飲用水瓶の飲水機の構造においては、殻体９１、貯液タンク９２と受け座９３が含まれる。貯液タンク９２は殻体９１の上面の中央の組立口の内に組み立てられ、貯液タンク９２は飲用水を貯蔵するのに用いられる。受け座９３は貯液タンク９２の上方で蓋するように形成されることにより、貯液タンク９２を封止することができる。受け座９３には挿入タンク９３１と導水管９３２が設けられる。挿入タンク９３１に飲用水瓶９４（例えば蒸留水瓶等の容器）の出水端９４１を挿入することができる。導水管９３２は飲用水瓶９４の内の飲用水を貯液タンク９２に導入することができると同時に、貯液タンク９２の内部の等量の空気を飲用水瓶９４の内まで排出することによって導水の作動を行うことができ、さらに貯液タンク９２の内の水位を安全な満水位の数値以下に維持するように制御することができる。
【０００３】
上記のような従来の飲用水瓶の飲水機の構造においては、実際に使用すると、飲用水瓶９４を常に運搬したり、取り外して交換したりしなければならないため、飲用水瓶９４の周壁は微細な亀裂９４２が極めて生じ易くなる。亀裂９４２が極めて細かく、飲用水瓶９４の構造の強度に影響を及ぼしてしまうまで大きな問題点にはならないため、飲用水の業者は亀裂９４２を有する飲用水瓶９４を使い続ける。しかし、亀裂９４２を有する飲用水瓶９４を受け座９３に挿入した時、亀裂９４２により飲用水瓶９４の内部の気体が外部の大気と連通するように形成されるため、飲用水瓶９４の内部は気密効果を維持することができず、そのために飲用水瓶９４の内の水位が降下するのを防止することができない。その結果、貯液タンク９２は等量の飲用水と空気を取り替える方式を利用して正常な導水の作動を行うことができなくなるため、飲用水瓶９４の水位は絶えずに異常に降下し続け、そして貯液タンク９２の内の水位は絶えずに異常に上昇し続け、甚だしく上記安全な満水位の数値以上を超えてしまうため、貯液タンク９２の内の飲用水は貯液タンク９２と受け座９３との結合の隙間から外へ溢出してしまうことにより、飲水機の使用上の信頼性に影響を及ぼしてしまうという問題点を有している。このように、上記のような従来の飲用水瓶の飲水機の構造をさらに改良しなければならない。
【考案の開示】
【考案が解決しようとする課題】
【０００４】
本考案はこのような問題点に鑑みて考案したものであって、その目的とするところは、貯液タンクの上方の受け座または汚れ防止座などの封止蓋の構造において排気バルブを設置し、排気バルブに浮きとピストンを設け、上記浮きは上記貯液タンクの内に位置する。上記貯液タンクの内の飲用水が正常満水位線より低くなると、上記排気バルブにより貯液タンクの内部の気圧を調節することができる。上記貯液タンクの内の飲用水が正常満水位線を超えるように上昇すると、上記浮きは上昇して上記ピストンを連動して上記排気バルブを封止することにより、確実に上記貯液タンクの内の飲用水が異常に外へ溢出するのを避けることができるため、飲水機の使用上の信頼性を高めることができる飲水機の溢出防止装置を提供しようとするものである。
【０００５】
本考案の第一の目的は、受け座において排気バルブを設置し、上記排気バルブに浮きとピストンを設け、そして飲用水が正常満水位線を超えると、上記浮きは上記ピストンを連動して上記排気バルブを封止することにより、飲水機の使用上の信頼性を高めることができる飲水機の溢出防止装置を提供しようとするものである。
【０００６】
本考案の第二の目的は、汚れ防止座において排気バルブを設置し、上記排気バルブに浮きとピストンを設け、そして飲用水が正常満水位線を超えると、上記浮きは上記ピストンを連動して上記排気バルブを封止することにより、飲水機の使用上の信頼性を高めると共に、飲用水の品質を高めることができる飲水機の溢出防止装置を提供しようとするものである。
【課題を解決するための手段】
【０００７】
上記目的を達成するために、本考案による飲水機の溢出防止装置は、下記のようになるものである。すなわち、
貯液タンク、封止蓋、導水管および排気バルブにより構成される。貯液タンクは飲用水を収容するのに用いられる。封止蓋は緊密に貯液タンクを蓋するように設けられる。導水管は飲用水瓶の飲用水を貯液タンクに注入するように導引し、さらに貯液タンクの内の等量の空気を飲用水瓶に注入するように導引する。排気バルブは封止蓋の上に設けられ、排気バルブには浮き、ピストンと排気通路が設けられ、浮きは貯液タンクの内に位置するように形成される。貯液タンクの内の飲用水が正常満水位線より低くなると、排気バルブの排気通路により貯液タンクの内部の気圧を調節することができ、そして貯液タンクの内の飲用水が正常満水位線を超えるように上昇すると、浮きは上昇すると共に、ピストンを連動して排気バルブの排気通路を封止することにより、貯液タンクの内の飲用水が異常に外へ溢出するのを避ける。
【０００８】
本考案による飲水機の溢出防止装置は、封止蓋は受け座からなり、受け座には管路が設けられ、管路に排気バルブを組み立てることもできる。また、受け座には挿入タンクが凹むように設けられて飲用水瓶に挿入することができ、さらに導水管は挿入タンクの底部に結合することもできる。また、導水管には挿管部と組立部が設けられ、挿管部は飲用水瓶の内に挿入するのに用いられ、挿管部には少なくとも一個の導引孔が設けられ、さらに組立部は受け座の挿入タンクの底部に結合されることもできる。また、排気バルブには本体と嵌合体が設けられ、嵌合体は本体の内に嵌設され、嵌合体には排気通路が形成され、さらに本体の内周壁面には階段状部が設けられることにより、嵌合体を支持することこともできる。また、嵌合体にはフランジが設けられ、フランジは本体の階段状部に係止して位置決めすることもできる。また、排気バルブの本体の底端には開口が形成され、開口には少なくとも一個の支持リグが設けられ、支持リブは連接棒が穿設するのに用いられ、さらに連接棒によりピストンと浮きを連接することもできる。また、封止蓋は受け座と汚れ防止座との組合せからなり、汚れ防止座は受け座に嵌設され、そして汚れ防止座には管路が設けられることにより、排気バルブと組み立てることもできる。また、受け座には挿入タンクが凹むように設けられて飲用水瓶に挿入することができ、さらに汚れ防止座は挿入タンクの外に嵌設され、そして導水管は挿入タンクの底部に直立するように設けられることもできる。また、導水管には挿管部と組立部が設けられ、挿管部は飲用水瓶の内に挿入するのに用いられ、挿管部には少なくとも一個の導引孔が設けられ、さらに組立部は受け座の挿入タンクの底部に結合されることもできる。また、排気バルブには嵌合体が設けられ、嵌合体には排気通路が形成され、さらに嵌合体にはフランジが設けられることにより、汚れ防止座の管路の上端の開口に係止して位置決めすることもできる。また、汚れ防止座にはスリーブと第一汚れ防止板が設けられ、スリーブは受け座の挿入タンクの外に嵌設され、第一汚れ防止板は貯液タンクの内周壁面に係止するのに用いられることもできる。また、第一汚れ防止板はリップ縁において少なくとも一個の貫穿孔が設けられることにより、貯液タンクの内部の気圧を調節することもできる。また、汚れ防止座には他に第二汚れ防止板と汚れ防止ワッシャーが設けられ、第二汚れ防止板の外周面には環状凹欠溝が凹むように設けられ、環状凹欠溝は汚れ防止ワッシャーが結合するのに用いられ、さらに汚れ防止ワッシャーは貯液タンクの内周壁面に当接するのに用いられることもできる。また、汚れ防止座の管路は第一汚れ防止板を貫穿し、そして排気バルブを組み立てて結合するのに用いられることもできる。また、汚れ防止座の第二汚れ防止板には管路に対応するように貫穿孔が設けられ、上記貫穿孔は連接棒が穿設するのに用いられ、さらに連接棒によりピストンと浮きを連接することもできる。また、排気バルブには他に蓋体が設けられ、蓋体は汚れ防止座の管路の上端の開口を蓋するように設けられることもできる。また、排気バルブには連接棒が設けられ、そして連接棒にはフランジ端が形成され、排気バルブのピストンは連接棒のフランジ端に結合されることもできる。また、ピストンとフランジ端との間には凹欠溝が形成され、凹欠溝は漏れ防止リングを収容して位置決めするのに用いられ、そして排気通路の一端には縮径部が形成されることにより、ピストンと漏れ防止リングによって縮径部を封止することもできる。また、連接棒には他に挿入端が設けられ、挿入端の外周壁面にはねじ部が形成され、連接棒は上記ねじ部により対応するように浮きのねじ孔に螺合することもできる。また、排気バルブには他に係止部材が設けられ、係止部材は連接棒に穿設され、そしてピストンと浮きとの間に位置するように形成され、さらに係止部材の外周縁には係止部が設けられることにより、係止部材は嵌合体の底端に係止して位置決めされることもできる。また、係止部材には複数個の支持リブが設けられ、支持リブは係止部材の底端の開口に懸けるように設けられることにより、連接棒を支持すると共に、貯液タンクとその他のタンクの内部の気体を嵌合体の排気通路の内に注入させることもできる。
【考案の効果】
【０００９】
本考案の飲水機の溢出防止装置によれば、受け座において排気バルブを設置し、上記排気バルブに浮きとピストンを設け、そして飲用水が正常満水位線を超えると、上記浮きは上記ピストンを連動して上記排気バルブを封止することにより、飲水機の使用上の信頼性を高めることができるという利点がある。
【００１０】
本考案の飲水機の溢出防止装置によれば、汚れ防止座において排気バルブを設置し、上記排気バルブに浮きとピストンを設け、そして飲用水が正常満水位線を超えると、上記浮きは上記ピストンを連動して上記排気バルブを封止することにより、飲水機の使用上の信頼性を高めると共に、飲用水の品質を高めることができるという利点がある。
【考案を実施するための最良の形態】
【００１１】
本考案の実施の形態について、以下、図面を参照して説明する。
【実施例１】
【００１２】
図１、２を参照すると、本考案の実施例１の飲水機の溢出防止装置には貯液タンク１、受け座２、導水管３と排気バルブ４が含まれ、そして飲水機（図示せず）に設置されて飲用水瓶５（例えば蒸留水瓶等の容器）を載置することができ、さらに貯液タンク１の内の飲用水は貯液タンク１が正常な作動を維持できる水位の数値を超えないように確保することにより、正常な供水の状態を維持することができる。
【００１３】
再び図１、２を参照すると、本考案の実施例１の貯液タンク１は中空の柱状の殻体からなると共に、飲用水を収容するのに用いられる。貯液タンク１にはフランジ１１が設けられ、フランジ１１は貯液タンク１の上端の端縁から半径方向に外へ突出するように設けられる。受け座２は中空の逆さまの円錐形の柱状殻体からなり、受け座２には挿入タンク２０、フランジ２１、組立口２２と管路２３が設けられる。挿入タンク２０は受け座２の中央位置に凹むように設けられ、挿入タンク２０は飲用水瓶５が挿入するのに用いられる。フランジ２１は受け座２の上端の端縁から半径方向に外へ突出するように設けられ、フランジ２１は貯液タンク１のフランジ１１が結合するのに用いられ、さらに二個のフランジ１１、２１の間には好ましくはワッシャー（図示せず）が挟設されることにより、受け座２が貯液タンク１の上方に緊密に蓋して結合するのを確保することができる。このように、受け座２は貯液タンク１の封止蓋の構造であると見なすことができる。また、組立口２２は挿入タンク２０のタンク周壁の底部に設けられることにより、導水管３を組み立てるのに役立つことができる。管路２３は中空の管状に形成され、管路２３は実質的に挿入タンク２０のタンク周壁とフランジ２１との境の位置に設けられ、管路２３に排気バルブ４を嵌設して組み立てることができる。
【００１４】
再び図１、２を参照すると、本考案の実施例１の導水管３は中空の柱体からなり、導水管３には一体になるように挿管部３１と組立部３２が設けられ、さらに導水管３０はワッシャー３３と結合部材３４と結合することができる。挿管部３１と組立部３２はそれぞれ導水管３の上半部と下半部に設けられる。挿管部３１は飲用水瓶５の出水端のフィルム（図示せず）を突き破るのに用いられ、さらに挿管部３１には少なくとも一個の導入孔３１１が設けられる。挿管部３１が飲用水瓶５の内に挿入されると、挿管部３１の導引孔３１１により飲用水を貯液タンク１に注入するのを導引し、さらに気体を飲用水瓶５に注入するのを導引することができる。組立部３２には好ましくは外ねじが設けられ、そして結合部材３４には好ましくは対応するように内ねじが設けられる。導水管３が受け座２の挿入タンク２０の内の組立口２２の上方に直立になるように設けられると、組立部３２は下方へ組立口２２を貫穿することができ、そしてワッシャー３３と結合部材３４によって組立部３２に嵌設して結合することにより、導水管３を受け座２に緊密に固設することができる。
【００１５】
再び図１、２を参照すると、本考案の実施例１の排気バルブ４には本体４１、嵌合体４２、ピストン４３、連接棒４４、浮き４５と濾過片４６が設けられる。本体４１は中空の柱体からなり、本体４１には階段状部４１１と少なくとも一個の支持リブ４１２が設けられる。本体４１の上端は受け座２の管路２３の底部に嵌設して結合することができる。階段状部４１１は本体４１の内周壁面（および外周壁面）に形成される。支持リブ４１２は本体４１の底端の開口に懸けるように設けられることにより、連接棒４４を穿設して支持することができる。嵌合体４２は本体４１の上端の開口から本体４１の内に嵌入する。嵌合体４２にはフランジ４２１と排気通路４２２が設けられる。フランジ４２１は半径方向に外へ突出するように嵌合体４２の外周壁面に設けられ、フランジ４２１は本体４１の内周壁面の階段状部４１１に係止して位置決めするのに用いられる。排気通路４２２は嵌合体４２の底端と上端を貫穿して気体を排除することができる。
【００１６】
再び図１、２を参照すると、ピストン４３は略円柱状に形成され、ピストン４３には係止部４３１と組立部４３２が設けられる。係止部４３１はピストン４３の上端に突出するように設けられることにより、嵌合体４２の底端の排気通路４２２の開口を塞いで封止することができる。組立部４３２はピストン４３の底端に凹むように設けられることにより、連接棒４４を組み立てて結合することができる。連接棒４４にはフランジ端４４１と挿入端４４２が設けられる。フランジ端４４１は連接棒４４の上端に突出するように設けられることにより、ピストン４３の組立部４３２に嵌入することができる。挿入端４４２は連接棒４２の底端に設けられることにより、浮き４５と嵌設して結合することができる。これにより、連接棒４４によりピストン４３と浮き４５を連接することができる。浮き４５は選択的に円形、円弧形、楕円形、矩形と多辺形の物体からなり、浮き４５の内部は密閉の中空状に形成されることにより、恒常的に水面上に浮くように維持することができる。また、濾過片４６は受け座２の管路２３の内に設けられ、そして好ましくは嵌合体４２の上端に貼接するように形成されることにより、輸入または輸出される気体を濾過するため、貯液タンク１の内の飲用水を汚染してしまうのを避けることができ、さらに埃または昆虫などの異物が侵入するのを防止することができる。
【００１７】
図２を参照すると、本考案の実施例１の飲水機の溢出防止装置が完全な構造を有する飲用水瓶５を合わせて使用する場合、導水管３の挿管部３１が飲用水瓶５の出水端の内に挿入されると、飲用水は導引孔３１１を経て貯液タンク１の内に導引されると同時に、貯液タンク１の内の等量の空気は導引孔３１１を経て飲用水瓶５に注入される。貯液タンク１の飲用水が正常満水位線Ｌに達する時、飲用水瓶５は完全な周壁を有することにより、飲用水瓶５の内部の気体の量はさらに増えることができず、気密な効果が形成されるため、飲用水瓶５の内部の水位が再び降下し、飲用水が過度に貯液タンク１の内に注入されるのを防止することができる。それから、仮に使用者が飲水機を使用することによって貯液タンク１の内の水位が下がると、上述の原理に基づいて貯液タンク１の内の飲用水は最も多くても正常満水位線Ｌまたはその下方を維持することができる。そして、上述した正常な使用状態において、貯液タンク１の内の飲用水の水位では排気バルブ４の浮き４５を上昇させることができず、故に浮き４５は連接棒４４を経てピストン４３を連動して嵌合体４２の排気通路４２２を封止することが未だできないため、排気バルブ４は相変わらず排気の功能を有する。
【００１８】
図３を参照すると、本考案の実施例１の飲水機の溢出防止装置が亀裂５１を有する飲用水瓶５を合わせて使用する場合、導水管３の挿管部３１は同様に飲用水瓶５の出水端の内に挿入されると、飲用水は導引孔３１１を経て貯液タンク１の内に導引されると同時に、貯液タンク１の内の等量の空気は導引孔３１１を経て飲用水瓶５に注入される。しかし、飲用水瓶５には亀裂５１との欠陥を有することにより、外部の空気は亀裂５１から絶えずに飲用水瓶５の内に注入し続けるため、飲用水瓶５は気密の効果を喪失してしまう。その結果、飲用水瓶５の内の水位は絶えずに下がるようになり、飲用水瓶５の内の飲用水は過度に貯液タンク１の内に注入してしまうため、貯液タンク１の内の飲用水は異常満水位線Ｌ’まで上昇してしまう。上述した異常な使用状態において、貯液タンク１の内の飲用水の異常満水位線Ｌ’では排気バルブ４の浮き４５を予定の高度まで上昇させることにより、浮き４５は連接棒４４を経てピストン４３を連動して上昇することができるため、ピストン４３の係止部４３１により嵌合体４２の底端の排気通路４２２を封止することができる。この時、排気バルブ４は排気の功能を有していないが、飲用水が異常に溢出するのを防止できる功能を有するようになる。
【００１９】
さらに詳しく言えば、排気バルブ４が封止された後、貯液タンク１の内の飲用水は異常満水位線Ｌ’以上まで上昇することができないため、飲用水瓶５の内の飲用水が再び降下できないのを限制することにより、本考案の飲水機の溢出防止装置は亀裂５１との欠陥を有する飲用水瓶５を合わせて使用しても、水を正常に供給できるとの使用上の信頼性を確保することができ、さらに貯液タンク１の内の飲用水が外へ溢出するのを防止することもできる。
【実施例２】
【００２０】
図４を参照すると、本考案の実施例２の飲水機の溢出防止装置が掲示される。実施例１と比較してみると、実施例２において受け座２には管路２３の設置が省かれ、そして排気バルブ４には本体４１の設置が省かれ、さらに他に汚れ防止座６が設けられ、汚れ防止座６によって排気バルブ４を組み立てて結合することにより、貯液タンク１の汚れ防止の功能を余分に提供することができる。さらに詳しく言えば、汚れ防止座６には中空部６０、スリーブ６１、第一汚れ防止板６２、第二汚れ防止板６３、汚れ防止ワッシャー６４と管路６５が設けられる。中空部６０はスリーブ６１の上端と底端を貫穿することにより、スリーブ６１は受け座２の挿入タンク２０の外周壁面に嵌設される。
【００２１】
第一汚れ防止板６２はスリーブ６１の下半部の外周壁面から半径方向に外へ突出するように設けられ、そして第二汚れ防止板６３はスリーブ６１の上半部の外周壁面から半径方向に外へ突出するように設けられる。第一汚れ防止板６２は貯液タンク１の内周壁面に係止するのに用いられ、そして第一汚れ防止板６２はリップ縁において少なくとも一個の貫穿孔６２１が設けられることにより、貯液タンク１の内部の気圧を調節することができる。第二汚れ防止板６３の外周面には環状凹欠溝６３０が凹むように設けられ、環状凹欠溝６３０は汚れ防止ワッシャー６４が結合するのに用いられ、さらに汚れ防止ワッシャー６４は貯液タンク１の内周壁面に当接するのに用いられる。このように、汚れ防止座６は貯液タンク１の封止蓋の構造として見なすこともできる。
【００２２】
また、管路６５は第一汚れ防止板６２を貫穿し、さらに管路６５は第二汚れ防止板６３の貫穿孔（標示せず）に対応するように形成され、管路６５と上記貫穿孔は排気バルブ４の嵌合体４２、ピストン４３と連接棒４４を組み立てて結合するのに用いられる。嵌合体４２のフランジ４２１は管路６５の上端の開口（標示せず）に係止して位置決めするように形成される。第二汚れ防止板６３の貫穿孔は連接棒４４が穿設するのに用いられ、さらに連接棒４４によりピストン４３と浮き４５を連接する。排気バルブ４には他に蓋体４７が設けられることにより、第二汚れ防止板６３の管路６５の上端の開口を蓋することができるため、濾過片４６を位置決めすることができる。
【００２３】
図５を参照すると、本考案の実施例２の飲水機の溢出防止装置が完全な構造を有する飲用水瓶５を合わせて使用する場合、貯液タンク１の内の飲用水は最も多くて正常満水位線Ｌに達する。この時、貯液タンク１の内の飲用水の水位では排気バルブ４の浮き４５を上昇させることができず、故に浮き４５は連接棒４４を経てピストン４３を連動して嵌合体４２の排気通路４２２を封止することが未だできないため、排気バルブ４は相変わらず排気の功能を有する。また、汚れ防止座６の第一汚れ防止板６２と第二汚れ防止板６３により余分に汚れ防止の功能を提供することができ、そして第一汚れ防止板６２と第二汚れ防止板６３との間には一つの空間が形成されることにより、貯液タンク１と飲水機のその他のタンク（例えば加熱タンクなど）の内部の気圧を調節することができる。
【００２４】
図６を参照すると、本考案の実施例２の飲水機の溢出防止装置が亀裂５１を有する飲用水瓶５を合わせて使用する場合、飲用水瓶５の内の水位は絶えずに下がることにより、貯液タンク１の内の飲用水は異常満水位線Ｌ’まで上昇してしまう。このように、貯液タンク１の内の飲用水の異常満水位線Ｌ’では排気バルブ４の浮き４５を予定の高度まで上昇させることにより、浮き４５は連接棒４４を経てピストン４３を連動して上昇することができるため、ピストン４３の係止部４３１により嵌合体４２の底端の排気通路４２２を封止することができる。この時、排気バルブ４は排気の功能を有していないが、飲用水が異常に溢出するのを防止できる功能を有するようになる。
【実施例３】
【００２５】
図７、８を参照すると、本考案の実施例３の飲水機の溢出防止装置が掲示される。実施例２と比較してみると、実施例３において管路６５は第二汚れ防止板６３から軸方向へ延伸して第一汚れ防止板６２を貫穿し、そして排気バルブ４は対応するように管路６５の底端に係止して結合すると同時に、排気バルブ４には他に係止部材４８が設けられ、係止部材４８は嵌合体４２の端部に位置決めされることにより、ピストン４３と連接棒４４が貯液タンク１の内まで滑り落ちるのを避けることができる。
【００２６】
さらに詳しく言えば、再び図７、８を参照すると、係止部材４８には軸孔４８１、係止部４８２と複数個の支持リブ４８３が設けられる。軸孔４８１は係止部材４８の軸心の位置に設けられ、軸孔４８１は連接棒４４が対応するように穿設して通過するのに用いられる。係止部４８２は係止部材４８の外周縁に突出するように設けられ、係止部４８２は嵌合体４２の内表面の位置決め部（標示せず）に係止するのに用いられることにより、係止部材４８は嵌合体４２の底端に係止して位置決めすることができる。支持リブ４８３は係止部材４８の底端の開口に懸けるように設けられることにより、連接棒４４を支持すると共に、貯液タンク１とその他のタンクの内部の気体を嵌合体４２の排気通路４２２の内に注入させることができる。
【００２７】
他に、再び図７、８を参照すると、本考案の実施例３において、嵌合体４２には二個のフランジ４２１が設けられ、二個のフランジ４２１の間には収容空間（標示せず）が形成され、上記収容空間は漏れ防止リングａ１を収容するのに用いられる。また、ピストン４３は一体成形になるように連接棒４４のフランジ端４４１に組み立てられ、そしてピストン４３とフランジ端４４１との間には凹欠溝（標示せず）が形成され、上記凹欠溝は漏れ防止リングａ２を収容して位置決めするのに用いられる。
【００２８】
再び図７、８を参照すると、排気バルブ４を汚れ防止座６の管路６５の内に組み立てる時、先ずピストン４３と連接棒４４を軸方向に移動自在に対応するように嵌合体４２の排気通路４２２に穿設し、そして係止部材４８を軸孔４８２を利用して連接棒４４に穿設し、最後に浮き４５のねじ孔（標示せず）を対応するように挿入端４４２の外周壁面のねじ部（標示せず）に螺合する。それから、係止部材４８の係止部４８２を嵌合体４２の位置決め部に係止して位置決めすることにより、ピストン４３と連接棒４４は嵌合体４２の内に位置決めされ、さらに浮き４５は貯液タンク１の内に位置するように形成される。最後に、漏れ防止リングａ１により嵌合体４２を管路６５の内表面にしまりばめで配合させることにより、排気バルブ４が管路６５に対して任意に移動するのを避けることができると同時に、排気通路４２２にも気密な状態が形成される。
【００２９】
図８を参照すると、本考案の実施例３の飲水機の溢出防止装置が完全な構造を有する飲用水瓶５を合わせて使用する場合、貯液タンク１の内の飲用水は最も多くて正常満水位線Ｌにしか達することができず、上記飲用水の水位では浮き４５を上昇させることができず、さらにピストン４３と漏れ防止リングａ２では管路６５を封止することができず、そのために管路６５は相変わらず排気の功能を有すると共に、さらに貯液タンク１とその他のタンクの内部の気圧を調節することができる。
【００３０】
図９を参照すると、本考案の実施例３の飲水機の溢出防止装置が亀裂５１を有する飲用水瓶５を合わせて使用する場合、飲用水瓶５の内の水位は絶えずに下がることにより、貯液タンク１の内の飲用水は異常満水位線Ｌ’まで上昇してしまう。これにより、浮き４５は上記飲用水の異常満水位線Ｌ’に従って浮上し、さらにピストン４３の係止部４３１と漏れ防止リングａ２の直径の寸法は排気通路４２２の一端の縮径部（標示せず）の直径の寸法より小さく、係止部４３１と漏れ防止リングａ２は浮き４５から生じる浮力を利用して上記縮径部に当接することができるため、管路６５を封止すると共に、さらに気密な状態が形成される。この時、排気バルブ４は排気の功能を有していないが、飲用水が異常に溢出するのを防止できる功能を有するようになる。
【００３１】
上述の如く、図１０に示す従来の飲用水瓶の飲水機の構造によれば、亀裂９４２との欠陥を有する飲用水瓶５を合わせて使用する場合、貯液タンク９２の内の水位は絶えずに異常に上昇し続け、甚だしく安全な満水位の数値以上を超えてしまって貯液タンク９２の外まで溢出してしまうなどの問題点があった。図１に示す本考案の飲水機の溢出防止装置によれば、貯液タンク１の上方の受け座２または汚れ防止座６において排気バルブ４を設置し、排気バルブ４には浮き４５とピストン４３が設けられ、浮き４５は貯液タンク１の内に位置するように形成され、そして貯液タンク１の内の飲用水が正常満水位線Ｌより低くなると、排気バルブ４により貯液タンク１の内部の気圧を調節することができ、さらに貯液タンク１の内の飲用水が正常満水位線Ｌを超えるように上昇すると、浮き４５は上昇してピストン４３を連動して排気バルブ４を封止することにより、貯液タンク１の内の飲用水が異常に外へ溢出するのを避けることができるため、飲水機の使用上の信頼性を高めることができる。
【産業上の利用可能性】
【００３２】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００３３】
【図１】本考案の実施例１の飲水機の溢出防止装置の分解斜視図である。
【図２】本考案の実施例１の飲水機の溢出防止装置による構造の完全な飲用水瓶を合わせて使用する時の組み立てられた状態を示す斜視図である。
【図３】本考案の実施例１の飲水機の溢出防止装置による亀裂の欠陥を有する飲用水瓶を合わせて使用する時の組み立てられた状態を示す断面図である。
【図４】本考案の実施例２の飲水機の溢出防止装置の分解斜視図である。
【図５】本考案の実施例２の飲水機の溢出防止装置による構造の完全な飲用水瓶を合わせて使用する時の組み立てられた状態を示す斜視図である。
【図６】本考案の実施例２の飲水機の溢出防止装置による亀裂の欠陥を有する飲用水瓶を合わせて使用する時の組み立てられた状態を示す断面図である。
【図７】本考案の実施例３の飲水機の溢出防止装置の分解斜視図である。
【図８】本考案の実施例３の飲水機の溢出防止装置による亀裂の欠陥を有する飲用水瓶を合わせて使用する時の組み立てられた状態を示す断面図である。
【図９】本考案の実施例４の飲水機の溢出防止装置による亀裂の欠陥を有する飲用水瓶を合わせて使用する時の組み立てられた状態を示す断面図である。
【図１０】従来の飲用水瓶の飲水機による組み立てられた状態を示す断面図である。
【符号の説明】
【００３４】
１    貯液タンク                      １１    フランジ
２    受け座（封止蓋）                ２０    挿入タンク
２１    フランジ                        ２２    組立口
２３    管路                              ３    導水管
３１    挿管部                        ３１１    導引孔
３２    組立部                          ３３    ワッシャー
３４    結合部材                          ４    排気バルブ
４１    本体                          ４１１    階段状部
４１２    支持リブ                        ４２    嵌合体
４２１    フランジ                      ４２２    排気通路
４３    ピストン                      ４３１    係止部
４３２    組立部                          ４４    連接棒
４４１    フランジ端                    ４４２    挿入端
４５    浮き                            ４６    濾過片
４７    蓋体                            ４８    係止部材
４８１    軸孔                          ４８２    係止部
４８３    支持リブ                          ５    飲用水瓶
５１    亀裂                              ６    汚れ防止座
６０    中空部                          ６１    スリーブ
６２    第一汚れ防止板                ６２１    貫穿孔
６３    第二汚れ防止板                ６３０    環状凹欠溝
６４    汚れ防止ワッシャー              ６５    管路
９１    殻体                            ９２    貯液タンク
９３    受け座                        ９３１    挿入タンク
９３２    導水管                          ９４    飲用水瓶
９４１    出水端                        ９４２    亀裂
ａ１    漏れ防止リング                  ａ２    漏れ防止リング
Ｌ    正常満水位線                      Ｌ’    異常満水位線
【図１】
0003126288.tif 000003
【図２】
0003126288.tif 000004
【図３】
0003126288.tif 000005
【図４】
0003126288.tif 000006
【図５】
0003126288.tif 000007
【図６】
0003126288.tif 000008
【図７】
0003126288.tif 000009
【図８】
0003126288.tif 000010
【図９】
0003126288.tif 000011
【図１０】
0003126288.tif 000012